(57)【特許請求の範囲】
【請求項１】
渦巻室の巻の終端部からオイル室周壁の内面に沿って導延された導水路の終端部を後記環状水路の始端部へ導通させると共にモータフレームとアウトカバーとの対向面間に形成された環状水路の終端部をポンプ吐出口へ導通させ、羽根車を内装する渦巻室と軸封装置を内装するオイル室とを区画する、上記渦巻室に対向し管状導水路と軸孔と逃し孔が穿設された下部板体と、上記オイル室に対向し中心部に穿設された軸孔から放射方向に終端部の開口まで導延し、上記下部板体の上面と背向状に結合することより抜き孔を形成する凹状の溝が刻設された上部板体との結合により形成された仕切体の中心部には、ポンプ軸の貫挿される軸孔の孔周部から放射方向へ導延される抜き孔が形成されて、渦巻室周壁に沿ってポンプ吸込口を囲繞して前段送水管との連結機能を付設した吸込アダプター内へ開口し連通する逃し孔の始端部を、上記抜き孔の終端部の開口へ導通させ、環状の基部を渦巻室周壁の端部に連接して逃し孔からポンプ吸込口に通じる還水路を内設すると共にポンプ吸込口の開口端から離隔して伸延された連結用管体の先端部に連結機構を付設したことを特徴とする、中継用電動ポンプ。
【発明の詳細な説明】
【０００１】
【発明の技術分野】
本発明は、中継用電動ポンプに関するものである。
【０００２】
【従来技術とその問題点】
周知のように水中で使用される電動ポンプでは、ポンプ駆動時において渦巻室内に発生する圧力がオイル室内へ伝播して軸封機能が損なわれることを防止するため、渦巻室内の圧抜きが行われる構造が採られている。しかし陸上で使用されることの多い中継用電動ポンプにおいては、圧抜き部からの放水が外部へ漏出・飛散することは好ましくない。
【０００３】
従って中継用電動ポンプでは、駆動時に渦巻室内の圧抜きが行われない構造が採られており、軸封部に作用する圧力は前段から送水されてくる送水圧に、該中継用ポンプ自体が発生する揚送圧力が加圧されることにより軸封機能が損なわれることになる。
【０００４】
【発明の目的】
本発明の目的は、圧力水を外部へ放出させることなく渦巻室内の圧抜きが行われ、オイル室内の軸封機能が損なわれることのない中継用電動ポンプを提供することにある。
【０００５】
【発明の構成】
本発明に係る中継用電動ポンプにおいては、渦巻室の巻の終端部からオイル室周壁の内面に沿って導延された導水路の終端部を後記環状水路の始端部へ導通させると共にモータフレームとアウトカバーとの対向面間に形成された環状水路の終端部をポンプ吐出口へ導通させ、羽根車を内装する渦巻室と軸封装置を内装するオイル室とを区画する上記渦巻室に対向し管状導水路と軸孔と逃し孔が穿設された下部板体と、上記オイル室に対向し中心部に穿設された軸孔から放射方向に終端部の開口まで導延し、上記下部板体の上面と背向状に結合することより抜き孔を形成する凹状の溝が刻設された上部板体との結合により形成された仕切体の中心部には、ポンプ軸の貫挿される軸孔の孔周部から放射方向へ導延される抜き孔が形成されて、渦巻室周壁に沿ってポンプ吸込口を囲繞して前段送水管との連結機能を付設した吸込アダプター内へ開口し連通する逃し孔の始端部を、上記抜き孔の終端部の開口へ導通させ、環状の基部を渦巻室周壁の端部に連接して逃し孔からポンプ吸込口に通じる還水路を内設すると共にポンプ吸込口の開口端から離隔して伸延された連結用管体の先端部に連結機構を付設した。
【０００６】
【実施例】
以下実施例の図面により説明をする。
【０００７】
１は渦巻室、２はポンプ軸３の導出端に嵌着されて渦巻室１内に収容された羽根車、４は渦巻室表壁５の中央部に穿設されたポンプ吸込口、７は渦巻室１とモータフレーム８との間に介装されたオイル室であり、仕切体９を介して渦巻室１に連結されている。１０はオイル室７内に設けられた軸封装置である。オイル室７に隣接するモータフレーム８の外周にはアウトカバー１１が繞設されて、両者８，１１の対向面間に環状水路１２を形成する。１３は渦巻室１における巻の終端部１ｅからオイル室周壁１４の内面に沿って導延された導水路であり、その管壁の一面がオイル室周壁１４の一部を構成するような態様で一体に結合され、管壁の他の面はオイル室７内において潤滑油と直接接触するように形成されており、その終端部は前記環状水路１２の始端部と導通する。また、環状水路１２の終端部はポンプ吐出口（図示せず）に通じている。１５は渦巻室周壁１６に沿って穿設された逃し孔である。前記仕切体９の中心部にはポンプ軸３の縦挿される軸孔１８が穿設され、該軸孔１８の孔周部から放射方向へ導延される抜き孔１７を仕切体９に穿設してその終端部が前記逃し孔１５の始端部へ導通されている。実施例の図面には渦巻室１に対向する下部板体９ａとオイル室７に対向する上部板体９ｂとが背向状に結合されたとき、その結合面に抜き孔１７を形成させる合わせ構造の事例が示されているが、一面が渦巻室１と対向し他面がオイル室７と対向する単一の板体構造であってもよい。要は渦巻室１とオイル室７とを区画して軸孔１８の孔周部から導延された抜き孔１７の終端部の開口が逃し孔１５の始端部へ導通すればよいのである。１９は環状の基部を渦巻室周壁１６の端部に連接し管状先端部に連結機構２０を付設した吸込アダプターであり、前記逃し孔１５の終端部からポンプ吸込口４に通じる還水路２１が内設されると共に連結用管体２２がポンプ吸込口４の開口端から離隔して導延されている。上記連結機構２０について実施例の図面では、連結用管体２２の先端部外周に張設されたフランジに接続ボルトの挿通孔を穿設したカップリング構造のものを示しているが、必ずしもこの構造に限定するものではなく、他の管継ぎ手構造を採用してもよいことは勿論である。なお、導水路１３やオイル室周壁１４など水冷作用に関連する部材は金属等の熱伝導性材料で構成されることが望ましい。
【０００８】
【作用】
前設ポンプの吐出口から導延された送水管に連結用管体２２を連結させた態様により、ポンプ駆動時には、ポンプ吸込口４から渦巻室１内へ吸込まれた水が、巻の終端部１ｅからオイル室７内の導水路１３を通過する過程で潤滑油を冷却させ、アウトカバー１１内の環状水路１２を通過する過程でモータ発熱を吸収しつつポンプ吐出口から吐出され、該ポンプ吐出口から導延された送水管により後設ポンプへ送水される。また、渦巻室１内の水の一部は羽根裏からポンプ軸３または保護スリーブＳを伝って軸孔１８の孔縁部から抜き孔１７に流入し更に逃し孔１５を通って吸込アダプター１９内へ還元されることで、渦巻室１内で発生する圧力がオイル室７内へ伝播することはなくなる。そして逃し孔１５から還元された水は還水路２１を通って再びポンプ吸込口４から渦巻室１内へ吸込まれる。
【０００９】
【発明の効果】
本発明中継用電動ポンプによれば、圧力水を外部へ放出させることなしに渦巻室内の圧抜きが行われ、渦巻室内に発生する圧力がオイル室内へ伝播することはないので、オイル室内の軸封機能が損なわれることはないという利点がある。
【図面の簡単な説明】
【図１】本発明中継用電動ポンプの要部縦断側面図である。
【図２】本発明中継用電動ポンプに使用される仕切体が、渦巻室に対向する板体とオイル室に対向する板体との２部材で構成されている事例における縦断側面図である。
【図３】図２の実施態様による仕切体構成板体を嵌着させたオイル室構成ケーシングの上記板体嵌着側から見た端面図である。
【図４】図２の実施態様による仕切体構成板体を嵌着させた渦巻室構成ケーシングの上記板体嵌着側から見た端面図である。
【符号の説明】
１      渦巻室
１ｅ    巻の終端部
２      羽根車
３      ポンプ軸
４      ポンプ吸込口
７      オイル室
８      モータフレーム
９      仕切板
９ａ    下部板体
９ｂ    上部板体
１０      軸封装置
１１      アウトカバー
１２      環状水路
１３      導水路
１４      オイル室周壁
１５      逃し孔
１６      渦巻室周壁
１７      抜き孔
１８      軸孔
１９      吸込アダプター
２０      連結機構
２１      還水路
２２      連結用管体
【図１】
0004641570.tif 000002
【図２】
0004641570.tif 000003
【図３】
0004641570.tif 000004
【図４】
0004641570.tif 000005